(57)【要約】【課題】表側金属外皮の表面に現れる膨れによる外観の低下を抑制できるサンドイッチパネルの補修方法、および補修壁を提供する。【解決手段】サンドイッチパネル１の補修方法は、表側金属外皮１１と芯材１３とが部分的に剥離してなる剥離部１７が形成されたサンドイッチパネル１を補修する方法である。当該方法は、剥離部１７に対応する部分において、裏側金属外皮１２および芯材１３に孔２０を形成する穿孔工程と、穿孔工程の後、孔２０に接着剤２１を注入する接着剤注入工程と、接着剤注入工程の後、表側金属外皮１１の剥離部１７に対応する部分を、芯材１３に向かって押さえて表側金属外皮１１と芯材１３とを接着する押さえ工程とを備える。【選択図】図２
2018040237.tif 000002
【特許請求の範囲】
【請求項１】
表側金属外皮と芯材とが部分的に剥離してなる剥離部が形成されたサンドイッチパネルを補修する方法であって、
前記剥離部に対応する部分において、裏側金属外皮および前記芯材に孔を形成する穿孔工程と、
前記穿孔工程の後、前記孔に接着剤を注入する接着剤注入工程と、
前記接着剤注入工程の後、前記表側金属外皮の前記剥離部に対応する部分を、前記芯材に向かって押さえて前記表側金属外皮と前記芯材とを接着する押さえ工程と
を備えている
ことを特徴とするサンドイッチパネルの補修方法。
【請求項２】
前記押さえ工程の後、前記孔に止水材を充填する止水材充填工程と、
前記止水材充填工程の後、前記孔を覆うように金属板を取り付ける金属板取付工程と
をさらに備えている
ことを特徴とする請求項１記載のサンドイッチパネルの補修方法。
【請求項３】
前記芯材が、ロックウールにより構成されている
ことを特徴とする請求項１または請求項２に記載のサンドイッチパネルの補修方法。
【請求項４】
芯材の厚み方向の両側に表側金属外皮と裏側金属外皮とが貼着された複数のサンドイッチパネルからなり、前記複数のサンドイッチパネルのうちの少なくとも１つのサンドイッチパネルに形成された剥離部が補修された補修壁であって、
前記剥離部に対応する部分において前記裏側金属外皮および前記芯材を貫通し且つ前記表側金属外皮を非貫通とした孔と、
前記孔に充填されて硬化し、前記芯材と前記表側金属外皮とを部分的に接着する接着剤と
を備えている
ことを特徴とする補修壁。
【発明の詳細な説明】
【技術分野】
【０００１】
本発明は、サンドイッチパネルの補修方法、および補修壁に関する。
【背景技術】
【０００２】
芯材の厚み方向の両側に表側金属外皮と裏側金属外皮とが貼着されたサンドイッチパネルが知られている（例えば、特許文献１参照）。この種のサンドイッチパネルは、一般に、芯材と表側金属外皮、および芯材と裏側金属外皮が接着されて構成されている。
【先行技術文献】
【特許文献】
【０００３】
【特許文献１】特開２０１６−０４０１２７号公報
【発明の概要】
【発明が解決しようとする課題】
【０００４】
ところで、この種のサンドイッチパネルを施工現場に搬入する際に、作業者は、例えば、サンドイッチパネルの長さ方向の両端を持ち上げて運搬するが、このとき、サンドイッチパネルは長さ方向の中央部が下方に変位するようにして撓む。また、運搬時において、サンドイッチパネルに何らかの衝撃が加わることもある。このような場合、芯材と金属外皮とが部分的に剥離することが起こり得る。
【０００５】
芯材と金属外皮とが部分的に剥離した状態のサンドイッチパネルを施工した場合、例えば、日光が照射して、金属外皮の温度が上昇すると、金属外皮が伸張して、芯材と金属外皮とが離れて、膨れとなって現れる。この膨れが表側金属外皮に現れた場合、外壁の外観を損ねるという問題がある。
【０００６】
本発明は、上記事情に鑑みてなされたものであり、その目的とするところは、芯材と金属外皮とが部分的に剥離したサンドイッチパネルを用いて施工した場合であっても、表側金属外皮の表面に膨れが現れるのを抑制し、外観が損なわれるのを抑制できるサンドイッチパネルの補修方法、および補修壁を提供することにある。
【課題を解決するための手段】
【０００７】
本発明の一態様に係るサンドイッチパネルの補修方法は、表側金属外皮と芯材とが部分的に剥離してなる剥離部が形成されたサンドイッチパネルを補修する方法であって、前記剥離部に対応する部分において、裏側金属外皮および前記芯材に孔を形成する穿孔工程と、前記穿孔工程の後、前記孔に接着剤を注入する接着剤注入工程と、前記接着剤注入工程の後、前記表側金属外皮の前記剥離部に対応する部分を、前記芯材に向かって押さえて前記表側金属外皮と前記芯材とを接着する押さえ工程とを備えていることを特徴とする。
【０００８】
またこのサンドイッチパネルの補修方法において、前記押さえ工程の後、前記孔に止水材を充填する止水材充填工程と、前記止水材充填工程の後、前記孔を覆うように金属板を取り付ける金属板取付工程とをさらに備えていることが好ましい。
【０００９】
またこのサンドイッチパネルの補修方法において、前記芯材が、ロックウールにより構成されていることが好ましい。
【００１０】
本発明の一態様に係る補修壁は、芯材の厚み方向の両側に表側金属外皮と裏側金属外皮とが貼着された複数のサンドイッチパネルからなり、前記複数のサンドイッチパネルのうちの少なくとも１つのサンドイッチパネルに形成された剥離部が補修された補修壁であって、前記剥離部に対応する部分において前記裏側金属外皮および前記芯材を貫通し且つ前記表側金属外皮を非貫通とした孔と、前記孔に充填されて硬化し、前記芯材と前記表側金属外皮とを部分的に接着する接着剤とを備えていることを特徴とする。
【発明の効果】
【００１１】
本発明のサンドイッチパネルの補修方法、および補修壁によれば、芯材と金属外皮とが部分的に剥離したサンドイッチパネルを用いて施工した場合であっても、表側金属外皮の表面に膨れが現れるのを抑制し、外観が損なわれるのを抑制できる。
【図面の簡単な説明】
【００１２】
【図１】本発明の一実施形態のサンドイッチパネルの補修方法により補修されたサンドイッチパネルの縦断面図である。
【図２】図２Ａ〜２Ｅは、同上のサンドイッチパネルの補修方法を示す要部断面図である。
【図３】同上の接着剤注入工程の他例の要部断面図である。
【発明を実施するための形態】
【００１３】
以下、本発明の実施形態について添付図面に基づいて説明する。
【００１４】
本実施形態のサンドイッチパネル１の補修方法は、壁下地に取り付けられた状態のサンドイッチパネル１において膨れが生じた場合に、壁下地に取り付けたまま補修を行うことができる補修方法である。このサンドイッチパネル１は、図１に示すように、屋外側に面する表側金属外皮１１と、屋内側に面する裏側金属外皮１２と、芯材１３とを備えている。
【００１５】
表側金属外皮１１および裏側金属外皮１２は、金属板により構成されており、例えば、厚み０．３５〜０．８ｍｍ程度の金属板を、プレス加工等の曲げ加工を施すことにより形成される。この表側金属外皮１１および裏側金属外皮１２は、亜鉛めっき鋼板や塗装鋼板、エスジーエル（登録商標）鋼板、ガルバリウム鋼板（登録商標）、ステンレス鋼板等により構成される。
【００１６】
芯材１３は、サンドイッチパネル１の主体を構成する部分であり、本実施形態の芯材１３は、ロックウールを主体として含む。具体的に、芯材１３は、ロックウールからなる繊維状無機材をブロック体に形成し、当該ブロック体を並べることで板状にして構成されている。繊維状無機材の他例として、例えば、グラスウールが挙げられる。芯材１３は、ロックウールやグラスウールなどの繊維状無機材に限らず、ウレタンフォーム・スチレンフォーム・フェノールフォーム・ポリイソシアヌレートフォーム等の合成樹脂発泡体、ペンタンからなる発泡剤により構成されたフロン不使用の発泡断熱材、石膏ボード・ケイ酸カルシウム板・水酸化アルミニウム板等の無機質板などの耐火材を板状にして構成されてもよい。また、芯材１３として、これら複数種類を組み合わせて形成してもよいし、どれか一つだけを用いてもよい。また、複数種類の材料を厚み方向に積層してもよく、例えば、合成樹脂発泡体と無機質板とを厚み方向に積層してもよいし、ロックウールと無機質板とを厚み方向に積層してもよい。なお、本実施形態において、芯材１３は、本体部がロックウールにより構成されており、第一嵌合部１４および第二嵌合部１５には無機質板が内蔵されている。
【００１７】
サンドイッチパネル１は、幅方向の両端のうちの一方の端部に第一嵌合部１４が設けられ、他方の端部に第二嵌合部１５が設けられている。サンドイッチパネル１として、横張りする場合には、下方に第二嵌合部１５が配置され、上方に第一嵌合部１４が配置される。上下方向に隣接するサンドイッチパネル１は、第一嵌合部１４と第二嵌合部１５とが嵌合する。サンドイッチパネル１は、第二嵌合部１５側の端部に覆い片１６を有しており、覆い片１６は、第一嵌合部１４と第二嵌合部１５とが接合すると、この接合部分を屋外側から覆うように構成されている。複数のサンドイッチパネル１は、下方から上方に向かって順に設置され、これにより、建物の外壁を構成する。以下では、サンドイッチパネル１の屋外側の面を外壁面とする。
【００１８】
以下においては、複数のサンドイッチパネル１のうち、少なくとも１つにおいて、膨れが生じた場合の補修方法について説明する。膨れは、例えば、表側金属外皮１１と芯材１３との間において、部分的な剥離が生じた場合に起こり得る（この表側金属外皮１１と芯材１３との間で剥離が生じた部分を剥離部１７という）。剥離は、例えば、サンドイッチパネル１の運搬時に、サンドイッチパネル１の長さ方向の両端を持ち上げることで中央部が撓んだり、あるいは、何らかの理由でサンドイッチパネル１が衝撃を受けることで表側金属外皮１１と芯材１３とが部分的にはがれる等を理由に生じ得る。表側金属外皮１１と芯材１３との間が剥離すると、表側金属外皮１１が日光等により温度が上がって伸張した場合に膨れが生じる（図２Ａ参照）。
【００１９】
本実施形態の補修方法は、穿孔工程と、接着剤注入工程と、押さえ工程と、止水材充填工程と、金属板取付工程と、タッチアップ工程とを備えている。
【００２０】
穿孔工程は、図２Ｂに示すように、裏側金属外皮１２において剥離部１７に対応する部分に、ドリルなどの工具４１で穴を開け、裏側金属外皮１２および芯材１３に孔２０を形成する。このとき、表側金属外皮１１については、穴を開けずに残しておく。穿孔工程で開ける孔２０の数量は、剥離部１７の大きさに応じて適宜決定され、単数であってもよいし、複数形成されてもよい。例えば、正面視で直径５０ｍｍ程度の剥離部１７のサイズに対して、１つの孔２０を開けるのが好ましい。
【００２１】
接着剤注入工程は、穿孔工程の後に実施される。接着剤注入工程は、図２Ｃに示すように、穿孔工程で開けた孔２０に接着剤２１を注入する工程である。接着剤２１の注入には、接着剤注入用のガンが用いられる。接着剤２１は、発泡性や粘性の観点から二液硬化型ポリウレタン系接着剤が好ましいが、特にこれに限られない。また、芯材１３がポリウレタンなどの合成樹脂発泡体である場合、エポキシ系の接着剤が好ましい。
【００２２】
接着剤注入工程により注入された接着剤２１は、少なくとも芯材１３と表側金属外皮１１との剥離部１７に充填され、その後、孔２０の軸方向の中間部分まで充填される。
【００２３】
押さえ工程は、接着剤注入工程の後に実施される。押さえ工程は、図２Ｄに示すように、表側金属外皮１１において剥離部１７に対応する部分を、芯材１３に向かって押さえる工程である。これにより、剥離部１７を形成していた表側金属外皮１１の一部と、芯材１３とを密着した状態で長時間保持することができる。押さえ工程では、図２Ｄに示す押さえ治具３が用いられる。
【００２４】
押さえ治具３は、上側引掛具３１と、下側引掛具３２と、これら上側引掛具３１と下側引掛具３２に架設される支持具３３と、支持具３３により押圧される押さえ板３４とを備えている。
【００２５】
上側引掛具３１および下側引掛具３２は、いずれも、サンドイッチパネル１の覆い片１６に引掛けられる。上側引掛具３１および下側引掛具３２は、断面略Ｕ字状に形成されており、覆い片１６と第一嵌合部１４との間に下方から差し込まれることで装着される。なお、下側引掛具３２は、上側引掛具３１が装着されたサンドイッチパネル１とは別の下方に設置されたサンドイッチパネル１に装着されており、上下方向に離れている。
【００２６】
支持具３３は、上側引掛具３１と下側引掛具３２との間に掛け渡され、上側引掛具３１および下側引掛具３２に固定される。支持具３３は、サンドイッチパネル１の長さ方向に離れるように平行に２つ配置される。支持具３３と、引掛具３１，３２との固定は、例えば、万力４２により行われる。支持具３３は、上下方向に延びたＬ型アングルにより構成された本体部３３１と、本体部３３１の長さ方向に所定ピッチで離れてねじ込まれた複数のボルト３３２とを備えている。本体部３３１には、複数の雌ねじが形成されており、複数のボルト３３２は、この複数の雌ねじに対して一対一でねじ込まれている。この複数のボルト３３２は、屋内側にねじ込まれることで、押さえ板３４を屋内側に押圧することができる。
【００２７】
押さえ板３４は、例えば、平坦な木質板により構成されている。押さえ板３４は、厚み方向の両側に位置する２つの板面３４ａ，３４ｂを有している。押さえ板３４は、屋外側の板面３４ａが複数のボルト３３２によって押圧され、屋内側の板面３４ｂが、サンドイッチパネル１を押さえる。これによって、サンドイッチパネル１の表側金属外皮１１を平坦な状態に保持することができ、接着剤２１が硬化するまでの間、表側金属外皮１１の形状を保持することができる。なお、押さえ板３４と表側金属外皮１１との間には、表側金属外皮１１が傷付かないように、シート材を介在させてもよい。
【００２８】
止水材充填工程は、押さえ工程の後に実施される。止水材充填工程は、図２Ｅに示すように、接着剤２１が硬化した後、硬化した接着剤２１が配置された孔２０に、止水材３５を充填する工程である。止水材３５としては、例えば、シーリング材やパテ（金属パテが好ましい）が挙げられる。止水材３５を充填することで、万が一、裏側金属外皮１２に結露等が生じても、孔２０を介した芯材１３への浸水が抑制される。
【００２９】
金属板取付工程は、止水材充填工程の後に実施される。金属板取付工程は、止水材充填工程で止水材３５が充填された孔２０を金属板３６で覆う工程である。金属板３６の取り付けは、止水材３５が硬化する前に実施する。金属板３６は、例えば、孔２０の内径と同じサイズの金属板３６を嵌め込んで取り付けてもよいし、孔２０よりも大きいサイズの金属板３６によって孔２０を覆って固定してもよい。
【００３０】
タッチアップ工程は、金属板取付工程の後に実施される。タッチアップ工程は、裏側金属外皮１２の孔２０に取り付けられた金属板３６に塗装を施し、目立たないようにする工程である。タッチアップ工程は、裏側金属外皮１２と同色に塗装される。これによって、裏側金属外皮１２に形成された孔２０を目立たないように処理することができる。
【００３１】
このように、本実施形態のサンドイッチパネル１の補修構造は、補修が必要なサンドイッチパネル１が壁下地に取り付けられた状態を維持したままで補修される（この補修後のサンドイッチパネル１を含む壁を補修壁５という）。補修壁５は、複数のサンドイッチパネル１により構成されており、複数のサンドイッチパネル１のうちの少なくとも１つが補修されている。
【００３２】
図１に示すように、補修壁５は、上述した孔２０の跡（以下、孔跡２０ａ）を有している。孔跡２０ａは、裏側金属外皮１２および芯材１３を貫通し、且つ、表側金属外皮１１を非貫通としている。この孔跡２０ａには、硬化した接着剤２１ａが充填されている。接着剤２１ａは、表側金属外皮１１における剥離部１７に対応する部分と、芯材１３の剥離部１７に対応する部分および孔跡２０ａの内周面とを接着している。また、補修壁５は、上述したように、孔跡２０ａに充填されている止水材３５ａと、孔跡２０ａを覆う金属板３６とを有している。
【００３３】
このように、補修前は膨れによって、外観を損なっていたサンドイッチパネル１であっても、本実施形態の補修方法を実施することで、表側金属外皮１１の膨れの発生を抑制することができ、外観の良好さを保つことができる。
【００３４】
（効果）
以上、説明したように本実施形態のサンドイッチパネル１の補修方法は、表側金属外皮１１と芯材１３とが部分的に剥離してなる剥離部１７が形成されたサンドイッチパネル１を補修する方法である。この補修方法は、穿孔工程と、接着剤注入工程と、押さえ工程とを備えている。穿孔工程は、剥離部１７に対応する部分において、表側金属外皮１１を残しつつ裏側金属外皮１２および芯材１３に孔２０を形成する。接着剤注入工程は、穿孔工程の後、孔２０に接着剤２１を注入する。押さえ工程は、接着剤注入工程の後、表側金属外皮１１の剥離部１７に対応する部分を、芯材１３に向かって押さえ、これにより、表側金属外皮１１と芯材１３とを接着する。
【００３５】
この構成によれば、表側金属外皮１１と芯材１３とに部分的な剥離部１７が生じても、サンドイッチパネル１を取り付けた状態を維持したまま、表側金属外皮１１と芯材１３との剥離部１７に接着剤２１を充填した上で、芯材１３に押し付けることができ、剥離部１７において表側金属外皮１１と芯材１３とを接着することができる。この結果、表側金属外皮１１の表面に膨れが発生するのを防ぐことができ、建物の外観の低下を抑制できる。
【００３６】
また、本実施形態のサンドイッチパネル１の補修方法は、次の付加的な構成を有する。すなわち本実施形態のサンドイッチパネル１の補修方法は、止水材充填工程と、金属板取付工程とをさらに備えている。止水材充填工程は、押さえ工程の後、孔２０に止水材３５を充填する工程である。金属板取付工程は、止水材充填工程の後、孔２０を覆うように金属板３６を取り付ける工程である。
【００３７】
この構成によれば、屋内側から芯材１３に浸水するのを防ぐことができ、また、屋内側からサンドイッチパネル１を見た場合に外観が損なわれるのを抑制できる。
【００３８】
また、本実施形態のサンドイッチパネル１の補修方法は、次の付加的な構成を有する。すなわち本実施形態のサンドイッチパネル１の補修方法は、サンドイッチパネル１の芯材１３が、ロックウールにより構成されている。
【００３９】
この構成によれば、耐火性や断熱性に優れたロックウールを芯材１３として用いた場合に、表側金属外皮１１と芯材１３との間に剥離部１７が生じても、サンドイッチパネル１を取り付けたままで、補修を行うことができる。
【００４０】
また本実施形態の補修壁５は、芯材１３の厚み方向の両側に表側金属外皮１１と裏側金属外皮１２とが貼着された複数のサンドイッチパネル１からなる補修壁５である。補修壁５には、複数のサンドイッチパネル１のうちの少なくとも１つのサンドイッチパネル１に形成された剥離部１７が補修された跡がある。補修壁５は、複数のサンドイッチパネル１のうちの少なくとも１つのサンドイッチパネル１において、裏側金属外皮１２および芯材１３を貫通し且つ表側金属外皮１１を非貫通とした孔２０ａ（孔跡）と、孔２０ａに充填されて硬化し、芯材１３と表側金属外皮１１とを部分的に接着する接着剤２１ａとを備えている。
【００４１】
この構成によれば、剥離部１７に対し接着剤２１ａが充填されて硬化しているため、膨れが生じず、表側金属外皮１１の表面に現れる膨れによる外観の低下を抑制できる。
【００４２】
（応用）
上記実施形態のサンドイッチパネル１において、芯材１３が発泡性合成樹脂体により構成される場合、芯材１３と表側金属外皮１１との間の膨れ発生の原因として、芯材１３に含まれるイソシアネートが、水蒸気と反応して炭酸ガスが発生し、膨れが発生する場合がある。この炭酸ガスは、上記実施形態における穿孔工程によって除去することができる。このため、芯材１３の材質にかかわらず、上記補修方法は適用可能である。
【００４３】
上記実施形態のサンドイッチパネル１の補修方法は、止水材充填工程と、金属板取付工程とを含んでいたが、屋内側の補修を必要としない場合には、これら工程はなくてもよい。
【００４４】
上記実施形態の穿孔工程において、剥離部１７の屋内側の位置に胴縁６等が存在する場合には、例えば、図３に示すように、剥離部１７に向けて厚み方向に対して斜めに延びる孔２０を形成してもよい。なおこの場合、孔２０を開けた位置が、剥離部１７に対応する部分である。
【００４５】
上記実施形態の押さえ工程は、押さえ板３４として平板を用いたが、表側金属外皮１１の外面に適合するような形状の部材であればよく、平板に限定されない。
【００４６】
また、穿孔工程における孔の形状は、円形に限定されない。
【００４７】
また、サンドイッチパネル１の製造時において、部分的に接着剤が不足した場合、表側金属外皮１１と芯材１３との間の接着力が弱くて剥がれた箇所（つまり接着不良の箇所）が生じ得る（ここで言う接着不良には接着剤が行き渡らずに接着されていない箇所も含む）。この接着不良の箇所に対して、上記実施形態の補修方法を適用してもよい。なお、この場合、接着不良の箇所を剥離部とする。
【００４８】
その他、上記実施形態の構成は、本発明の主旨を逸脱しない範囲であれば、適宜変更可能である。
【符号の説明】
【００４９】
１      サンドイッチパネル
１１      表側金属外皮
１２      裏側金属外皮
１３      芯材
１７      剥離部
２０      孔
２０ａ    孔跡（孔）
２１      接着剤
２１ａ    接着剤
３５      止水材
３６      金属板
５      補修壁
【図１】
2018040237.tif 000003
【図２】
2018040237.tif 000004
【図３】
2018040237.tif 000005